(57)【特許請求の範囲】
【請求項１】
左眼に相応する第１光源と、
右眼に相応する第２光源と、
前記第１光源に隣接して配置され、前記第１光源の照射角を制限する第１ダクトと、
前記第２光源に隣接して配置され、前記第２光源の照射角を制限する第２ダクトと、
前記第１光源および前記第２光源から照射される光を透過して、前記左眼および右眼に照射されるようにし、前記左眼および右眼の姿を反射するハーフミラー、および
虹彩認識のために、前記左眼および右眼を撮影する左/右側カメラを含み、
前記ハーフミラーの中心は、前記第１光源および第２光源の中間地点に位置し、
前記第１光源および第２光源との間の距離は、
前記左眼および右眼に相応するユーザの位置が前記ハーフミラーから既に設定された距離だけ離れたとき、前記ユーザが前記第１光源および第２光源を一つの光源と認識するように設定され、
前記既に設定された距離は、３０ｃｍないし３７ｃｍであり、前記第１光源および第２光源の間の距離は、１ｃｍないし３ｃｍであり、
前記第１光源および前記第２光源と前記ハーフミラーとの間の距離は、２.５ｃｍないし４.５ｃｍであり、
前記第１ダクトおよび第２ダクトは、
それぞれ前記第１光源および第２光源のそれぞれに密着した円筒管であり、前記円筒管のハーフミラー側の断面は６０度ないし８０度の斜線で形成され、前記ハーフミラーの中心側の照射角を外側よりも大きく制限する、虹彩イメージキャプチャー装置。
【請求項２】
前記第１ダクトおよび第２ダクトは、
それぞれ前記ハーフミラーの延長方向に垂直に配列されることを特徴とする請求項１に記載の虹彩イメージキャプチャー装置。
【請求項３】
前記第１ダクトおよび第２ダクトは、
それぞれ円筒の内部にねじ山を含むことを特徴とする請求項２に記載の虹彩イメージキャプチャー装置。
【請求項４】
左眼および右眼を撮影して虹彩認識を通じてユーザを認識する虹彩認識部と、
前記ユーザの指紋認識を通じて前記ユーザを認識する指紋認識部と、
前記ユーザのスマートカード認識を通じて前記ユーザを認識するスマートカード認識部、および
前記ユーザのタッチ認識を通じてデータを入力され、前記ユーザにユーザインターフェースを提供するＬＣＤパネル部を含み、
前記虹彩認識部は、
前記左眼に相応する第１光源と、
前記右眼に相応する第２光源と、
前記第１光源に隣接して配置され、前記第１光源の照射角を制限する第１ダクトと、
前記第２光源に隣接して配置され、前記第２光源の照射角を制限する第２ダクトと、
前記第１光源および前記第２光源から照射される光を透過して、前記左眼および右眼に照射されるようにし、前記左眼および右眼の姿を反射するハーフミラー、および
前記虹彩認識のために、前記左眼および右眼を撮影する左/右側カメラを含み、
前記虹彩認識部は、
前記左/右側カメラの画角が上下に３０度の範囲となるように上/下に回転可能であり、
前記第１光源および第２光源の間の距離は、
前記左眼および右眼に相応するユーザの位置が前記ハーフミラーから既に設定された距離だけ離れたとき、前記ユーザが前記第１光源および第２光源を一つの光源と認識するように設定され、
前記既に設定された距離は、３０ｃｍないし３７ｃｍであり、前記第１光源および第２光源の間の距離は、１ｃｍないし３ｃｍであり、
前記第１光源および前記第２光源と前記ハーフミラーとの間の距離は、２.５ｃｍないし４.５ｃｍであり、
前記第１ダクトおよび第２ダクトは、
それぞれ前記第１光源および第２光源のそれぞれに密着した円筒管であり、前記円筒管のハーフミラー側の断面は６０度ないし８０度の斜線で形成され、前記ハーフミラーの中心側の照射角を外側よりも大きく制限する、アクセスコントロール用のユーザ認識装置。
【請求項５】
前記第１ダクトおよび第２ダクトは、
それぞれ前記ハーフミラーの延長方向に垂直に配列されることを特徴とする請求項４に記載のアクセスコントロール用のユーザ認識装置。
【請求項６】
前記第１ダクトおよび第２ダクトは、
それぞれ円筒の内部にねじ山を含むことを特徴とする請求項５に記載のアクセスコントロール用のユーザ認識装置。
【発明の詳細な説明】
【技術分野】
【０００１】
本発明は、身元の検証や特別許可を要する場所に対する接近を統制するのに用いられる虹彩イメージキャプチャー装置およびこれを適用したユーザ認識装置に関するものであり、より詳細にはユーザを虹彩認識装置から虹彩イメージ撮影に好適な距離に誘導して、効果的に虹彩イメージをキャプチャーする虹彩イメージキャプチャー装置およびこれを適用したユーザ認識装置に関するものである。
【０００２】
本発明は、２０１２年２月１６日付にて出願された韓国特許出願第１０−２０１２−００１５６４１号と、２０１２年４月１９日付にて出願された韓国特許出願第１０−２０１２−００４０７４８号と、２０１２年４月１９日付にて出願された韓国特許出願第１０−２０１２−００４０７５０号の出願日の利益を主張し、そのすべての内容は本明細書に含まれる。
【背景技術】
【０００３】
セキュリティー市場で生体認識に関する関心が大きくなって市場が拡張されている。本発明の範囲は、生体認識の分野のうち虹彩認識の分野である。生体認識装置はユーザが接近する多様な方向に応答する。しかし、ユーザの接近方向が周辺環境やユーザの心理などによって非常に相違しかつ多様であるので、すべての方向に対する応答は実質的に難しい。したがって、ユーザに拒否感を与えなく、認識率を向上することができるユーザ接近誘導方法および装置が必要である。 
【０００４】
虹彩イメージキャプチャー装置は、光源から出た光が虹彩認識対象者の眼に反射してカメラに入射し、その眼のイメージから虹彩イメージを抽出して、あらかじめ格納されているデータベース内の虹彩データと比較および確認を行う装置である。
【０００５】
この場合において、正確な虹彩イメージの撮影のためには、ユーザが虹彩認識装置の正確な位置に位置しなければならない。すなわち、虹彩認識装置は、ユーザを虹彩認識装置から適切な距離の正確な位置に位置するように誘導してこそ正確な虹彩イメージの撮影が可能である。
【０００６】
虹彩を認識する装置は、必ずカメラを介してユーザの虹彩イメージを撮らなければならない。ユーザの虹彩を撮るためには、ユーザにある指示器を見せて、そのユーザがその指示器を見ながら適切な位置にポジショニングするようにしなければならない。提示できる指示器の種類は多様であるが、通常一つの光源(ＬＥＤ)が虹彩認識のための指示器として使用される。また、ユーザが指示器を正確に見ていることを確認させるためにハーフミラーが使用される。
【０００７】
図１は、従来の虹彩イメージキャプチャー装置の構造図である。従来の虹彩イメージキャプチャー装置(１００)では、ユーザがハーフミラー(１０４)を介して一つの指示器(１０１)を見ると、両眼間に指示器が位置する虚像を見ることになる。このような従来の虹彩イメージキャプチャー装置(１００)は、両眼の視覚の差が大きくないユーザには問題なく作動する。
【０００８】
しかし、両眼間に視覚の差が大きいユーザの場合、指示器の虚像が両眼間に位置するようにするために、ユーザが自分の顔を左右に動かさなければならない。
【０００９】
図２および図３は、このような現象を説明する。 
【００１０】
図２は、左眼の視覚が強いユーザの場合を示し、図３は、右眼の視覚が強いユーザの場合を示す。 
【００１１】
図２を参照すれば、ユーザの左眼の視覚が右眼の視覚に比べて広いことが分かる。このとき、ユーザが虹彩認識装置(２００ａ)のハーフミラー(２０４ａ)を介して指示器ＬＥＤ(２０１ａ)が自分の両眼間に位置したと判断したとき、事実は左側の方向に偏った状態である。このとき、虹彩認識装置(２００ａ)の左側カメラ(２０３ａ)および右側カメラ(２０２ａ)はユーザの両眼を正確に撮影することができない。
【００１２】
図３を参照すれば、ユーザの右眼の視覚が左眼の視覚に比べて広いことが分かる。このとき、ユーザが虹彩認識装置(２００ｂ)のハーフミラー(２０４ｂ)を介して指示器ＬＥＤ(２０１ｂ)が自分の両眼間に位置したと判断したとき、事実は右側の方向に偏った状態である。このとき、虹彩認識装置(２００ｂ)の左側カメラ(２０３ｂ)および右側カメラ(２０２ｂ)はユーザの両眼を正確に撮影することができない。
【００１３】
図２および図３のこのような現象は、両眼の視覚の差が大きいユーザにとって見られる。従来には、このようなユーザに虹彩イメージキャプチャー装置がなぜ動作しないのか原因が分からなかった。実際の生活で、人間が特定の位置のある物体を左眼のみを覆って見るときと、右眼のみを覆って見るとき、人間はその物体が左から右に、または逆に移動するように感じられる。このような現象は、図２および図３のように、右側カメラが右眼のイメージを、左側カメラが左眼のイメージを正確に撮像できない原因となる。
【００１４】
虹彩認識の以外にも指紋認識やスマートカードなど、ユーザを認識する多様な方法がある。このようなユーザ認識を通じたアクセスコントロール市場は既に開放されて持続的に大きくなっている。このようなアクセスコントロール技術は、セキュリティー地域の出入統制用として、軍、空港だけでなく高級アパート、刑務所、ヘルスセンターなどの出入りまたは勤怠管理などに活用されている。 
【発明の概要】
【発明が解決しようとする課題】
【００１５】
本発明の目的は、虹彩認識装置の虹彩イメージキャプチャー装置がユーザの虹彩イメージ撮影に最適な位置にユーザを誘導することにより、効果的に虹彩イメージを撮影することである。
【００１６】
また、本発明の目的は、両眼の視力の差が大きいユーザも虹彩認識装置から遠くから少しずつ近付いてハーフミラーを介して見せる２つの光源が一つとなる時点で、その一つの光源が自分の両眼間に位置するように動くことにより、虹彩イメージ撮影に最も好適な位置にユーザを誘導することである。
【００１７】
さらに、本発明の目的は、２つの光源を用いて虹彩認識のための最適な位置にユーザを誘導するために、２つの光源から発生する光が適切な位置まで混ざらないように、２つの光源から発生する光の照射角を適切に制限することである。
【００１８】
また、本発明の目的は、最適な位置でユーザの虹彩を撮影して虹彩認識を通じてユーザを認識するか、ユーザのスマートカードを読み取ってユーザを認識するか、ユーザの指紋認識を通じてユーザを認識できるユーザ認識装置を提供することである。
【課題を解決するための手段】
【００１９】
上記目的を達成するための本発明の一実施例に係る虹彩イメージキャプチャー装置は、左眼に相応する第１光源と、右眼に相応する第２光源と、前記第１光源に隣接して配置され、前記第１光源の照射角を制限する第１ダクトと、前記第２光源に隣接して配置され、前記第２光源の照射角を制限する第２ダクトと、前記第１光源および前記第２光源から照射される光を透過して、前記左眼および右眼に照射されるようにし、前記左眼および右眼の姿を反射するハーフミラー(ｈａｌｆ  ｍｉｒｒｏｒ), および虹彩認識のために、前記左眼および右眼を撮影する左/右側カメラを含む。
【００２０】
このとき、前記ハーフミラーの中心は、前記第１光源および第２光源の中間地点に位置することができる。
【００２１】
このとき、前記第１光源および第２光源の間の距離は、前記左眼および右眼に相応するユーザの位置が前記ハーフミラーから既に設定された距離だけ離れたとき、前記ユーザが前記第１光源および第２光源を一つの光源と認識するように設定することができる。
【００２２】
このとき、前記既に設定された距離は、３０ｃｍないし３７ｃｍであり、前記第１光源および第２光源の間の距離は、１ｃｍないし３ｃｍである。
【００２３】
このとき、前記第１光源および前記第２光源と前記ハーフミラーとの間の距離は、２.５ｃｍないし４.５ｃｍである。
【００２４】
このとき、前記第１ダクトおよび第２ダクトは、それぞれ前記第１光源および第２光源のそれぞれに密着した円筒管であり、前記円筒管のハーフミラー側の断面は６０度ないし８０度の斜線で形成され、前記ハーフミラーの中心側の照射角を外側よりも大きく制限することができる。
【００２５】
このとき、前記第１ダクトおよび第２ダクトは、それぞれ前記ハーフミラーの延長方向に垂直に配列することができる。
【００２６】
このとき、前記第１ダクトおよび第２ダクトは、それぞれ円筒の内部にねじ山を含むことができる。
【００２７】
また、上記目的を達成するための本発明の一実施例に係るアクセスコントロール用のユーザ認識装置は、左眼および右眼を撮影して虹彩認識を通じてユーザを認識する虹彩認識部と、前記ユーザの指紋認識を通じて前記ユーザを認識する指紋認識部と、前記ユーザのスマートカード認識を通じて前記ユーザを認識するスマートカード認識部、および前記ユーザのタッチ認識を通じてデータを入力され、前記ユーザにユーザインターフェースを提供するＬＣＤパネル部を含む。 
【００２８】
このとき、虹彩認識部は、前記左眼に相応する第１光源と、前記右眼に相応する第２光源と、前記第１光源に隣接して配置され、前記第１光源の照射角を制限する第１ダクトと、前記第２光源に隣接して配置され、前記第２光源の照射角を制限する第２ダクトと、前記第１光源および前記第２光源から照射される光を透過して、前記左眼および右眼に照射されるようにし、前記左眼および右眼の姿を反射するハーフミラー(ｈａｌｆ  ｍｉｒｒｏｒ)、および前記虹彩認識のために、前記左眼および右眼を撮影する左/右側カメラを含む。
【００２９】
このとき、虹彩認識部は、前記左/右側カメラの画角が上下に３０度の範囲となるように上/下に回転可能である。
【００３０】
このとき、前記ハーフミラーの中心は、前記第１光源および第２光源の中間地点に位置することができる。
【００３１】
このとき、前記第１光源および第２光源の間の距離は、前記左眼および右眼に相応するユーザの位置が前記ハーフミラーから既に設定された距離だけ離れたとき、前記ユーザが前記第１光源および第２光源を一つの光源と認識するように設定することができる。
【００３２】
このとき、前記既に設定された距離は、３０ｃｍないし３７ｃｍであり、前記第１光源および第２光源の間の距離は、１ｃｍないし３ｃｍである。
【００３３】
このとき、前記第１光源および前記第２光源と前記ハーフミラーとの間の距離は、２.５ｃｍないし４.５ｃｍである。
【００３４】
このとき、前記第１ダクトおよび第２ダクトは、それぞれ前記第１光源および第２光源のそれぞれに密着した円筒管であり、前記円筒管のハーフミラー側の断面は６０度ないし８０度の斜線で形成され、前記ハーフミラーの中心側の照射角を外側よりも大きく制限することができる。
【００３５】
このとき、前記第１ダクトおよび第２ダクトは、それぞれ前記ハーフミラーの延長方向に垂直に配列することができる。
【００３６】
このとき、前記第１ダクトおよび第２ダクトは、それぞれ円筒の内部にねじ山を含むことができる。
【発明の効果】
【００３７】
本発明によれば、両眼の視覚の差が大きいユーザにとって発生する虹彩認識誤作動の問題を解決することにより、ユーザの虹彩認識率が向上する。 
【００３８】
また、ユーザが遠い距離から２つの指示器を見ながら接近してくるので、ハーフミラーを介して自分の位置を容易に把握できる時間的余裕を与えて、特定の領域に拒否感や不安感なく接近できるようになる。
【００３９】
さらに、ユーザが拒否感や不安感なく時間的に余裕を持って接近するので、虹彩イメージキャプチャー装置が希望する姿勢を取ることができるので、虹彩イメージを正確かつ迅速に撮ることができる。
【００４０】
さらに、本発明は、ユーザの虹彩認識や指紋認識、または、スマートカード認識を通じたユーザ認証を行って効果的に勤怠管理などのアクセスコントロールが可能である。
【図面の簡単な説明】
【００４１】
【図１】図１は、従来の虹彩イメージキャプチャー装置の概念を説明するための構成図である。
【図２】図２は、従来の虹彩イメージキャプチャー装置の概念を説明するための他の構成図である。
【図３】図３は、従来の虹彩イメージキャプチャー装置の概念を説明するための他の構成図である。
【図４】図４は、本願に係る虹彩イメージキャプチャー装置の虹彩認識に関連した概念を説明するための構成図である。
【図５】図５は、本願に係る虹彩イメージキャプチャー装置の虹彩認識に関連した概念を説明するための構成図である。
【図６】図６は、本願に係る虹彩イメージキャプチャー装置の水平断面図である。
【図７】図７は、本願に係る虹彩イメージキャプチャー装置の構成図である。
【図８】図８は、本願に係るアクセスコントロール用のユーザ認識装置の前面図である。
【図９】図９は、本願のアクセスコントロール用のユーザ認識装置が含まれたアクセスコントロールシステムの構成図である。
【図１０】図１０は、本願のアクセスコントロール用のユーザ認識装置の虹彩認識部が上/下に回転可能であることを示した図面である。
【発明を実施するための形態】
【００４２】
本発明を添付の図面を参照して詳細に説明すれば、次の通りである。ここで、繰り返される説明、本発明の要旨を曖昧にする公知の機能、および構成に関する詳細な説明は省略する。本発明の実施形態は、当業界で平均的な知識を有する者に本発明をより完全に説明するために提供されるものである。したがって、図面における要素の形状および大きさなどは、より明確な説明のために誇張されることもある。
【００４３】
本発明は、特定の物体を左眼のみを覆って見るときと、右眼のみを覆って見るとき、左から右に、または逆に移動するという点に着目して、次のような３つの仮定を通じて課題の解決に接近する。第一に、２つの指示器を使用する。第二に、両眼の視覚の差により指示光が移動する距離だけ補償するために、２つの指示器がハーフミラーの中央を基準として半分ずつ離れた位置でハーフミラーに対して水平になるように位置する。第三に、左眼には左側の指示器のみが見えるようにし、右眼には右側の指示器のみが見えるようにする構成を備える。
【００４４】
上記３つの仮定に関する説明は、図４および図５の通りである。図４および図５において左右の各カメラの画角から外れた両眼のイメージが左右の各カメラの画角内に入ることになる。例えば、特定の物体を順に左眼と右眼を覆って見るとき、左から右に、または逆に動く場合、再度両眼を覆わなくて見たとき、特定の物体が左側にあると、左眼の視覚が広いということであり、右側にあると、右眼の視覚が広いということである。このように、両眼の視覚の差が大きいユーザを、ハーフミラーを介して２つの指示器を見ながら誘導接近させると、ある特定の距離に到達したとき、２つの指示器が見えたのが、視覚が広い方の眼に一つの指示器のみが見えることになる。その距離が左右カメラの画角の範囲内であり、ユーザの両眼は左右カメラの画角内にあることになる。 
【００４５】
本願に係るイメージキャプチャー装置は、左右側の指示器、各指示器の画角の調節のために、各指示器とハーフミラーとの間に光が通過する円筒管をそれぞれ備える。各指示器の固定部位に光が漏れないように、各指示器と円筒管とが完全に密着することが好ましい。円筒管の材質は不透明でかつ光を吸収することが好ましい。円筒管の内部はねじ山を作って円筒管の端で光の回折と散乱を防ぐことが好ましい。円筒管の内部の直径は、指示器の内部の直径の程度が好ましい。各指示器がハーフミラーと水平に整列されなければならないので、円筒管を指示器とハーフミラーに垂直になるようにする。各指示器とハーフミラーとの間の間隔は、２.５ないし４.５ｃｍとすることが好ましい。このとき、左右側の指示器の可視領域を大きくするために、円筒管のハーフミラー側の断面は６０度ないし７０度の斜線で形成され、ハーフミラーの中心側の照射角を外側よりも大きく制限することが好ましい。
【００４６】
本発明に用いた指示器には、７−ｃｏｌｏｒ  ＬＥＤが使用される。この場合、多様な光源色を有するので、ユーザを動作領域に誘導するか、虹彩イメージキャプチャー装置からあまりにも遠くなるか、または虹彩イメージキャプチャー装置にあまりにも近くなったとき、さらに、動作領域内にあるときなどの多様な場合に、それに対応するそれぞれの光源色で表示してユーザが状況を認知できるようにする長所がある。
【００４７】
本発明に係る虹彩イメージキャプチャー装置は、次の通り構成される。ユーザに虹彩イメージキャプチャー装置を凝視している状況を見せるハーフミラー、２つの指示器、指示器の画角を固定するための２つの円筒管、左右の虹彩イメージを撮るための２つのカメラ制御部、距離を求めて物体(顔)を識別するための中央カメラ制御部、および指示器を駆動させる指示器制御部、左右の虹彩イメージを集めるイメージ収集制御部、ＰＣなどへ虹彩イメージを伝送するＵＳＢ制御部などで構成される。
【００４８】
本発明に係るアクセスコントロール用のユーザ認識装置は、ＬＣＤパネルとスマートカード認識器および指紋認識器を備えることができる。これと共に、上記で説明した虹彩イメージキャプチャー装置を備えた虹彩認識部を備えて、多様な方式のユーザ認証が行われるようにすることができる。このとき、一つのユーザ認識装置は登録装置として使用され、他のユーザ認識装置はアクセスコントロール用の装置として使用される。このような方式で連結されたユーザ認識装置は、アクセスコントロール制御部およびコンピュータと連動したアクセスコントロールシステムを構築することができる。 
【００４９】
以下、本発明に係る好ましい実施例を添付の図面を参照して詳細に説明する。
【００５０】
図４および図５においてユーザが２つの指示器(３０１ａ、３０１ｂ、３０５ａ、３０５ｂ)を見ながら、２つの指示器が一つで見える距離まで来て、その一つの指示器が左/右の両眼間に位置するようにポジショニングすれば、左右の各カメラ(３０２ａ、３０２ｂ、３０３ａ、３０３ｂ)の画角(点線で表示)から外れたユーザの両眼のイメージが左右の各カメラ(３０２ａ、３０２ｂ、３０３ａ、３０３ｂ)の画角内に入ることになる。特に、両眼の視覚の差が大きいユーザを、ハーフミラー(３０４ａ、３０４ｂ)を介して２つの指示器(３０１ａ、３０１ｂ、３０５ａ、３０５ｂ)を見ながら誘導接近させると、ある特定の距離に到達したとき、２つの指示器(３０１ａ、３０１ｂ、３０５ａ、３０５ｂ)が見えたのが、視覚が広い方の眼に右側の指示器(３０５ａ、３０５ｂ)、または、左側の指示器(３０１ａ、３０１ｂ)のみが見えることになる。その距離が左右カメラ(３０２ａ、３０２ｂ、３０３ａ、３０３ｂ)の画角の範囲内であり、ユーザの両眼は、左右カメラ(３０２ａ、３０２ｂ、３０３ａ、３０３ｂ)の画角内にあることになる。
【００５１】
図６は、本発明に係る虹彩イメージキャプチャー装置(４００)の概略図である。
【００５２】
通常のユーザの両眼の中心間の間隔が７ないし９ｃｍであり、ハーフミラー(４０５)からユーザまでの距離Ｘは３０ないし３７ｃｍであると仮定する。両眼の視覚の差による物体の移動距離は、物体の大きさに対して鏡のサイズが１/２である関係式を用いてハーフミラー(４０５)の中央から左右に０.５ないし１.５ｃｍ離れた距離に２つの指示器(４０１、４０２)をハーフミラー(４０５)に対して水平になるように位置させる。このとき、２つの指示器(４０１、４０２)(請求項の第１光源および第２光源)間の距離がさらに広いか狭いと、ユーザがハーフミラーから３０ないし３７ｃｍに位置する以前や以後に２つの指示器(４０１、４０２)が一つで見えることになる。
【００５３】
本発明に用いた２つの指示器(４０１、４０２)は、好ましくはＬＥＤを使用する。各指示器(４０１、４０２)の画角を調節するために、各指示器(４０１、４０２)とハーフミラー(４０５)との間に光が通過する円筒管(４０３、４０４)(請求項の第１ダクトおよび第２ダクト)をそれぞれ設ける。各指示器(４０１、４０２)の固定部位に光が漏れないように、各指示器(４０１、４０２)と円筒管(４０３、４０４)とが完全に密着することが好ましい。円筒管(４０３、４０４)の材質は、不透明でかつ光を吸収することが好ましい。円筒管(４０３、４０４)の内部は、ねじ山を作って円筒管の端で光の回折と散乱を防ぐことが好ましい。円筒管(４０３、４０４)の内部の直径は、指示器の内部の直径の程度が好ましい。各指示器(４０１、４０２)がハーフミラー(４０５)と水平に整列されなければならないので、円筒管(４０３、４０４)を指示器とハーフミラーに対して垂直になるようにする。各指示器(４０１、４０２)とハーフミラー(４０５)との間の間隔は２.５ないし４.５ｃｍとすることが好ましい。このとき、左右側の指示器(４０１、４０２)の可視領域を大きくするために、円筒管(４０３、４０４)のハーフミラー(４０５)側の断面は６０度ないし８０度の斜線で形成され、前記ハーフミラー(４０５)の中心側の照射角を外側よりも大きく制限することが好ましい。このように円筒管(４０３、４０４)を介してハーフミラーの中心側の照射角を適切に制限しなければ、ユーザがハーフミラーから適切な距離に到達する以前や以後に２つの指示器(４０１、４０２)が一つで見えることになる。 
【００５４】
虹彩イメージキャプチャー装置(４００)の側面は、両眼の視覚の差が大きいユーザにとって発生する問題まで解決するために、２つの指示器(４０１、４０２)を使用して領域を割り当てておく。さらに、両眼の視覚の差とは関係なくユーザが接近する場合、遠い距離の動作領域Ｙの外から２つの指示器(４０１、４０２)でユーザを動作領域内に誘導する。ユーザは２つの指示器(４０１、４０２)を見ながら近く誘導される。ユーザが距離ＸとＹとの間の動作領域内に入ることになると、ユーザの各眼球には、２つの指示器(４０１、４０２)のいずれか一つの指示器のみが見えることになる。
【００５５】
ユーザに一つの指示器のみが見える瞬間、虹彩イメージキャプチャー装置(４００)の左右の各カメラ(４０６、４０７)の画角内に左右眼が位置することになり、虹彩イメージキャプチャー装備(図示せず)は虹彩イメージを撮ることになる。
【００５６】
本発明が用いる指示器(４０１、４０２)には、７−ｃｏｌｏｒ  ＬＥＤが使用される。この場合、多様な光源色を有するので、ユーザを動作領域に誘導するか、虹彩イメージキャプチャー装置(４００)からあまりにも遠くなるか、または虹彩イメージキャプチャー装置(４００)にあまりにも近くなったとき、さらに、動作領域内にあるときなどの多様な場合に、それに対応するそれぞれの光源色で表示して、ユーザが状況を認知できるようにする長所がある。 
【００５７】
本発明に係る虹彩イメージキャプチャー装置は、図７に示されるように構成される。ユーザに虹彩イメージキャプチャー装置を凝視している状況を見せるハーフミラー(５０５)、２つの指示器(５０１、５０２)、指示器の画角を固定するための２つの円筒管(５０３、５０４)、左右の虹彩イメージを撮るための２つのカメラ制御部(５０９、５１１)、中央のカメラ(５０８)を介して距離を求め、物体(顔)を識別するための中央カメラ制御部(５１２)、および指示器(５０１、５０２)を駆動させる指示器制御部(５１０)、左右の虹彩イメージを集めるイメージ収集制御部(５１３)、ＰＣなどへ虹彩イメージを伝送するＵＳＢ制御部(５１４)などで構成される。
【００５８】
図８は、本願に係るアクセスコントロール用のユーザ認識装置の前面図である。
【００５９】
図８を参照すれば、本願に係るアクセスコントロール用のユーザ認識装置(６００)は、虹彩認識部(６０１)の以外にも、ＬＣＤパネル部(６０２)、指紋認識部(６０３)およびスマートカード認識部(６０４)を含む。
【００６０】
虹彩認識部(６０１)は、図７に示された虹彩イメージキャプチャー装置の後端に虹彩認識アルゴリズムを適用したものである。このとき、虹彩認識アルゴリズムは、当該技術分野で知られた多様な方式であってもよい。
【００６１】
指紋認識部(６０３)は、ユーザの指紋認識を通じたユーザ認識を行う。
【００６２】
スマートカード認識部(６０４)は、ユーザのスマートカード認識を通じたユーザ認識を行う。
【００６３】
ＬＣＤパネル部(６０２)は、ユーザのタッチ認識を通じてデータを入力され、ユーザにユーザインターフェースを提供する。
【００６４】
このとき、ＬＣＤパネル部(６０２)は、キーパッドの機能、現在の時間の表示、さらに、簡単なインターフェースを提供する付加サービスを提供する装置である。例えば、ＬＣＤパネル部は、５インチ以下の製品であり、フルカラーのタッチ機能を提供することができる。
【００６５】
図９は、本願のアクセスコントロール用のユーザ認識装置が含まれたアクセスコントロールシステムの構成図である。
【００６６】
図９に示された通り、一つのユーザ認識装置(７０１)は、登録装置として使用され、他のユーザ認識装置(７０２、７０３、７０４、７０５、...)は、アクセスコントロール用のユーザ認識装置として使用されて、アクセスコントロール制御部(７１０)およびコンピュータ(７２０)と連動したアクセスコントロールシステムを構築することができる。
【００６７】
図１０は、本願のアクセスコントロール用のユーザ認識装置の虹彩認識部が上/下に回転可能であることを示した図面である。
【００６８】
図１０に示された通り、ユーザ認識装置(８００)はスタッフモータ部(８０１)を備え、カメラが上下３０度の範囲で回転可能にして、虹彩認識部の左/右カメラの画角を６０度で作ることができる。 
【図１】
0005958870.tif 000002
【図２】
0005958870.tif 000003
【図３】
0005958870.tif 000004
【図４】
0005958870.tif 000005
【図５】
0005958870.tif 000006
【図６】
0005958870.tif 000007
【図７】
0005958870.tif 000008
【図８】
0005958870.tif 000009
【図９】
0005958870.tif 000010
【図１０】
0005958870.tif 000011